(57)【要約】【課題】多角形状に変更可能なベビーサークルの構造を提供する。【解決手段】  複数の上接続座１、複数の下接続座２、複数の上横パイプ３、複数の下横パイプ４及び複数の縦パイプ５から構成され、各上下接続座の副座１２，２２は上下接続座１，２の主座１１、２１に対して回転可能に枢着されると共に、主座と副座の相対する面にブロックと該ブロックに噛み合う歯溝を環状に設けて螺着部品１０により締結可能とし、上下横パイプ、縦パイプ両端を主座１１と副座２１にそれぞれ設けた水平、垂直接続孔１２３，１１４、２１４、２２３、２１３、・・・に挿入して上下横パイプ、縦パイプ両端に設置した弾性ラッチ３０、４０、５０を接続孔１１３１、・・・に係合する。  螺着部品１０を緩めて主座と副座を相対的に回転させて角度を変更して、サークルの囲う形状を正方形、五辺形、三辺形、長方形などの種々の多角形状に変更可能とする。【選択図】図１９
0003206264.tif 000002
【実用新案登録請求の範囲】
【請求項１】
複数の上接続座、複数の下接続座、複数の上横パイプ、複数の下横パイプ及び複数の縦パイプから構成し、
上記該複数の上接続座は少なくとも一つの主座及び一つの副座を有し、各主座と副座はそれぞれ環状に間隔を開けて配置した複数のブロック、及び該ブロックに対応して相互に噛合する複数の歯溝を設け、
該主座と副座はそれぞれピボットとピボットスロットを設けて互いに回転可能に枢接すると共に、該主座と副座は螺着部品をスペーサーを挿通して締結、固定し、
該螺着部品を緩めることによって、前記複数のブロックを噛み合う複数の歯溝から離脱させ、それにより副座と主座を相対回転させて相対する角度を調整可能とし、且つ主座と副座の複数のブロックと複数の歯溝が再度噛合した後は、再度螺着部品により該主座と副座を締結、固定可能とし
前記主座は下向きの垂直方向の接続孔と、水平方向の接続孔を具有し、副座は別方向の水平方向接続孔を設け、
前記主座は垂直方向の接続孔と互いに連通する第一定位穴、及び水平方向接続孔と互いに連通する第二定位穴を具有し、前記副座はこれと異なる方向の水平方向接続孔と互いに連通する第三定位穴を具有し、
上記複数の下接続座の各下接続座は、少なくとも一つの主座と一つの副座を有し、該主座と副座はそれぞれ環状に間隔を開けて配置した複数のブロック、及び該ブロックに対応して相互に噛合する複数の歯溝を設け、
該主座と副座はそれぞれピボットとピボットスロットを設けて互いに回転可能に枢接すると共に、該主座と副座は螺着部品をスペーサーを挿通して締結、固定し、
該螺着部品を緩めることによって、前記複数のブロックを噛み合う複数の歯溝から離脱させ、それにより副座が主座を相対回転させて相対する角度を調整可能とし、且つ主座の複数のブロックと副座と複数の歯溝が再度噛合した後、再度螺着部品により前記主座と副座を締結、固定可能とし、
前記主座は上向きの垂直方向の接続孔と、水平方向の接続孔を具有し、副座は別方向の水平方向接続孔を設け、該主座は垂直方向接続孔と互いに連通する第一定位穴及び水平方向接続孔と互いに連通する第二定位穴を具有し、前記副座は別方向の水平方向接続孔と互いに連通する第三定位穴を具有し、
上記複数の上横パイプは、それぞれ左右両端を上記上接続座の主座の水平方向接続孔及び別方向の上接続座の副座の水平方向接続孔に挿入し、且つ同時に上横パイプの左右両端の内部に設置した弾性ラッチのラッチ部をそれぞれ上接続座の主座の第二定位穴と別方向の上接続座の副座の第三定位穴に掛合し、
上記複数の下横パイプは、それぞれ左右両端を上記下接続座の主座の水平方向接続孔と別方向の下接続座の副座の水平方向接続孔に挿入し、且つ同時に下横パイプの左右両端の内部に設置した弾性ラッチのラッチ部をそれぞれ下接続座の主座の第二定位穴と別方向の下接続座の副座の第三定位穴に掛合し、
複数の縦パイプは、それぞれ上下両端をそれぞれ上下接続座の主座の垂直方向接続孔に挿入し、且つ各縦パイプをそれぞれ該上下両端の内部に設置した弾性ラッチのラッチ部をそれぞれ上下接続座の第一定位穴に掛合することを特徴とするベビーサークルの構造。
【請求項２】
前記各下接続座の主座と副座に、それぞれ一体成型された、地面に支える底板を具有することを特徴とする請求項１記載のベビーサークルの構造。
【請求項３】
前記各上接続座の主座と副座にピボットと該ピボットに嵌合する枢接孔を設け、該ピボットに内ネジ穴を設けて、螺着部品のスレッド部により螺着することを特徴とする請求項１記載のベビーサークルの構造。
【請求項４】
前記各下接続座の主座と副座にピボットと該ピボットに嵌合する枢接孔を設け、該ピボットは内ネジ穴を設けて、螺着部品のスレッド部により螺着することを特徴とする請求項１記載のベビーサークルの構造。
【請求項５】
前記該複数の上横パイプの各上横パイプの左右両端にそれぞれ穴を設けることで、各穴はそれぞれ上横パイプの左右両端の内部に設置した弾性ラッチのラッチ部を該穴に通して係合することを特徴とする請求項１記載のベビーサークルの構造。
【請求項６】
前記該複数の下横パイプの各下横パイプの左右両端にそれぞれ穴を設けることで、各穴はそれぞれ下横パイプの左右両端の内部に設置した弾性ラッチのラッチ部を該穴に通して係合することを特徴とする請求項１記載のベビーサークルの構造。
【請求項７】
前記複数の縦パイプの各縦パイプの上下両端にそれぞれ穴を設けることで、各穴はそれぞれ上下両端の内部に設置した弾性ラッチのラッチ部を該穴に通して係合することを特徴とする請求項１記載のベビーサークルの構造。
【考案の詳細な説明】
【技術分野】
【０００１】
本考案はベビーサークルの構造に関し、特に数個の上下の接続座及び上下の横パイプなどの部品によって構成する多角度変化のあるベビーサークルの構造に関する。
【背景技術】
【０００２】
従来のベビーサークルは主に数枚のプラスティックのプレートを互いに可動的に接続して構成し、赤ちゃんがサークル内のスペースで遊べるようにしている。しかし、このようなベビーサークルを分解することはできるが、様々な形状のスペース形態に調整することができず、使用する際に制限されることなどを鑑みて、更なる改善が必要であった。
【先行技術文献】
【特許文献】
【０００３】
【特許文献１】特開２０１３−１５４０８２号公報
【考案の概要】
【考案が解決しようとする課題】
【０００４】
前記公知構造の欠点を解決するため、本考案の第１の目的は、多種の角度変化ができるベビーサークルの構造を提供することにある。
本考案の第２の目的は、フローリングを傷つけるのを避けることができるベビーサークルの構造を提供することにある。
本考案の第３の目的は、部品はシンプルで組縦便利であるベビーサークルの構造を提供することにある。
【課題を解決するための手段】
【０００５】
前記課題を解決するために、本考案はベビーサークルの構造を提供するものである。本考案の主な目的は各上下接続座の副座は主座に相対して角度を調整することができ、それにより正方形、五辺形、三辺形、長方形など、多種の角度変化できるベビーサークルの構造を構成し、ユーザーがニーズに合わせて組み立てて使用するのに便利である。
【０００６】
本考案の第２の目的は、各下接続座の主座と副座に、各一体成型した地面を支える底板を具有し、各底板の底端の平面は安定して地面を支えることができ、フローリングを傷つけるのを避けることができる。
【０００７】
本考案の第３の目的は、複数の上接続座、複数の下接続座、複数の上横パイプ、複数の下横パイプなどの部品で構成し、部品はシンプルで組縦便利である。また、各上横パイプと下横パイプの幅は同じであるため、倉庫などで保管管理するのに便利である。
【考案の効果】
【０００８】
本考案の部品の構成を介し、各上下接続座を螺着する螺着部品を緩めると、直ちに各副座が主座に相対する角度をそれぞれ調整することができ、それにより正方形のサークル構造、五辺形サークル構造、三辺形の壁際で使用するサークル構造、長方形のサークル構造など、多種の角度変化のあるサークル構造に構成することができ、ユーザーはニーズに合わせてセレクトして使用するのに便利である。
【図面の簡単な説明】
【０００９】
【図１】本考案における上接続座の立体分解図である。
【図２】本考案における上接続座の立体図である。
【図３】本考案における上接続座が９０度の角度を呈す状態の俯瞰平面図である。
【図４】本考案における上接続座の角度を１０５度に調整した後の立体図である。
【図５】本考案における上接続座の角度を１０５度に調整した後の底面平面図である。
【図６】本考案における上接続座の角度を１２０度に調整した後の立体図である。
【図７】本考案における上接続座の角度を１２０度に調整した後の底面平面図である。
【図８】本考案における上接続座の角度を１８０度に調整した後の立体図である。
【図９】本考案における上接続座の角度を１８０度に調整した後の底面平面図である。
【図１０】本考案における下接続座の立体分解図である。
【図１１】本考案における下接続座の立体図である。
【図１２】本考案における下接続座が９０度の角度を呈す状態の俯瞰平面図である。
【図１３】本考案における下接続座の角度を１０５度に調整した後の立体図である。
【図１４】本考案における下接続座の角度を１０５度に調整した後の底面平面図である。
【図１５】本考案における下接続座の角度を１２０度に調整した後の立体図である。
【図１６】本考案における下接続座の角度を１２０度に調整した後の底面平面図である。
【図１７】本考案における下接続座の角度を１８０度に調整した後の立体図である。
【図１８】本考案における下接続座の角度を１８０度に調整した後の底面平面図である。
【図１９】本考案における一部の部品立体分解図である。
【図２０】本考案における上接続座と上横パイプの一部組合せ断面拡大略図である。
【図２１】本考案における下接続座と下横パイプの一部組合せ断面拡大略図である。
【図２２】本考案における上接続座、縦パイプと下接続座の一部組合せ断面拡大略図である。
【図２３】本考案を正方形のサークルに構成する立体外観略図である。
【図２４】本考案を五辺形のサークルに構成する立体外観略図である。
【図２５】本考案を三辺形のサークルに構成する立体外観略図である。
【図２６】本考案を長方形のサークルに構成する立体外観略図である。
【図２７】本考案を別の形態の正方形のサークルに構成する立体外観略図である。
【考案を実施するための形態】
【００１０】
以下、本考案の構造と特徴および効果を、最良実施例と図面を参照しながら詳細に説明する。
【実施例】
【００１１】
図１から図２７に示すのは、本考案のベビーサークルの構造である。それに含まれるのは、複数の上接続座、複数の下接続座、複数の上横パイプ、複数の下横パイプ及び複数の縦パイプである。
【００１２】
図１〜図９、図１９に示すように、各上接続座１は少なくとも一つの主座１１及び一つの副座１２を有する。図１に示すように、該主座１１と副座１２はそれぞれ間隔を開けて複数のブロック１１１、及び互いに対応して噛合できる複数の歯溝１２１を設ける。該主座１１と副座１２はそれぞれピボット１１２とピボットスロット１２２を設けて互いに枢接する。該主座１１と副座１２は一つの螺着部品１０を通じて、一つのスペーサー１００を通してから螺接して固定する。該螺着部品１０を緩めることで、前記複数のブロック１１１を複数の歯溝１２１から離脱し、それにより副座１２が主座１１に相対する角度を調整することができる。且つ主座１１と副座１２の複数のブロック１１１と複数の歯溝１２１が再度噛合した後は、更に螺着部品１０を通じて、前記主座１１と副座１２を螺着固定し、それにより副座１２が主座１１に相対する角度を調整できる目的を達成する。
図２〜図９に示すのは、それぞれ９０度、１０５度、１２０度及び１８０度の角度に調整した略図である。図４〜図９に示すように、前記主座１１は一つの下向きの垂直方向の接続孔１１３と、図２、図１９に示すように、水平方向の接続孔を具有する。図２、図４、図１９に示すように、副座１２は別方向の水平方向接続孔１２３を設ける。図２、図４、図６、図１９に示すように、前記主座１１は垂直方向接続孔１１３と互いに連通する第一定位穴１１３１を具有し、及び図４〜図９、図１９に示すように、水平方向接続孔１１４と互いに連通する第二定位穴１１４１を具有する。図４〜図９、図１９に示すように、前記副座１２の別方向の水平方向接続孔１２３と互いに連通する第三定位穴１２３１を具有する。
【００１３】
図１０〜図１９に示すように、複数の各下接続座２は少なくとも一つの主座２１と一つの副座２２を有する。図１０に示すように、該主座２１と副座２２はそれぞれ間隔を開けて複数のブロック２１１、及び互いに対応して噛合できる複数の歯溝２２１を設ける。該主座２１と副座２２はそれぞれピボット２１２とピボットスロット２２２を設けて互いに枢接する。該主座２１と副座２２は一つの螺着部品２０を通じて、一つのスペーサー２００を通してから螺接して固定する。該螺着部品１０を緩める時、前記複数のブロック２１１は直ちに複数の歯溝２２１から離脱し、それにより副座２２が主座２１に相対する角度を調整することができる。且つ主座２１の複数のブロック２１１と副座２２と複数の歯溝２２１が再度噛合した後、更に螺着部品２０により前記主座２１と副座２２を螺着固定し、それにより副座２２が主座２１に相対する角度を調整できる目的を達成する。
図１１〜図１８に示すのは、それぞれ９０度、１０５度、１２０度及び１８０度の角度に調整した略図である。図１３、図１５、図１７に示すように、前記主座２１は一つの上向きの垂直方向の接続孔２１３と、図１０、図１３、図１５、図１９に示すように、水平方向の接続孔を具有する。図１１、図１７、図１９に示すように、副座２２は別方向の水平方向接続孔２２３を設ける。前記主座２１は垂直方向接続孔２１３と互いに連通する第一定位穴を２１３１及び水平方向接続孔２１４と互いに連通する第二定位穴２１４１を具有する。前記副座２２は別の一つの方向の水平方向接続孔２２３と互いに連通する第三定位穴２２３１を具有する。
【００１４】
図１９、図２０に示すように、複数の上横パイプ３はそれぞれ左右両端３１を対応する上接続座１の主座１１の水平方向接続孔１１４及び他の上接続座１の副座１２の水平方向接続孔１２３にそれぞれ挿入する。且つ同時に上横パイプ３の左右両端３１の内部に設置する弾性ラッチ３０のラッチ部３０１をそれぞれ上接続座１の主座１１の第二定位穴１１４１と別の一つの上接続座１の副座１２の第三定位穴１２３１に掛合する。
【００１５】
図１９、図２１に示すように、複数の下横パイプ４はそれぞれ左右両端４１を対応する下接続座２の主座２１の水平方向接続孔２１４及び他の下接続座２の副座２２の水平方向接続孔２２３に挿入する。且つ同時に下横パイプ４の左右両端４１の内部に設置する弾性ラッチ４０のラッチ部４０１をそれぞれ下接続座２の主座２１の第二定位穴２１４１と別の一つの下接続座２の副座２２の第三定位穴２２３１に掛合する。
【００１６】
図１９、図２２に示すように、複数の縦パイプ５はそれぞれ上下両端５１をそれぞれに対応する上下接続座１、２の主座１１、２１の垂直方向接続孔１１３、２１３に挿入し、且つ各縦パイプ５をそれぞれ該上下両端５１の内部に設置する弾性ラッチ５０のラッチ部５０１をそれぞれ上下接続座１、２の第一定位穴１１３１、２１３１に掛合する。
【００１７】
更に、前記各下接続座２の主座２１と副座２２は、各一体成型された、地面に支える底板２１５、２２５を具有し、各底板２１５、２２５の底端の平面は安定して地面に支えることができ、フローリングを傷つけるのを避けることができる。
【００１８】
更に、図１に示すように、前記各上接続座１の主座１１と副座１２にピボット１２と枢接孔１２２を設け、図１に示すように、該ピボット１１２に内ネジ穴１１２１を設けた螺着部品１０のスレッド部１０１と対応して螺着する。
【００１９】
また、図１０に示すように、前記各下接続座２の主座２１と副座２２のピボット２１２と枢接孔２２２には、該ピボット２１２は内ネジ穴２１２１を具有し、螺着部品２０のスレッド部２０１と対応して螺着する。
【００２０】
また、図２０に示すように、前記複数の上横パイプ３の各上横パイプ３の左右両端３１にそれぞれ穴３１１を設けることで、各穴３１１はそれぞれ上横パイプ３の左右両端３１の内部に設置した弾性ラッチ３０のラッチ部３０１を該穴３１１に通して係合する。
【００２１】
更に図２１に示すように、前記複数の下横パイプ４の各下横パイプ４の左右両端４１にそれぞれ穴４１１を設けることで、各穴４１１はそれぞれ下横パイプ４の左右両端４１の内部に設置した弾性ラッチ４０のラッチ部４０１を該穴４１１に通して係合する。
【００２２】
更に図２２に示すように、前記複数の縦パイプ５の各縦パイプ５の上下両端５１にそれぞれ穴５１１を設けることで、各穴５１１はそれぞれ上下両端５１の内部に設置した弾性ラッチ５０のラッチ部５０１を該穴５１１に通して係合する。
【００２３】
前記部品の構成を介し、各上下接続座１、２を螺着する螺着部品１０、２０を緩めると、直ちに各副座１２、２２が主座１１、２１に相対する角度をそれぞれ調整することができ、それにより図２３、図２７に示すような正方形のサークル構造、図２４に示すような五辺形サークル構造、図２５に示すような三辺形の壁際で使用するサークル構造、図２６に示すような長方形のサークル構造、図２７に示すような別の形態の正方形など、多種の多角形の角度変化のあるサークル構造に構成することができ、ユーザーはニーズに合わせてセレクトして使用するのに便利である。前記部品が構成するベビーサークル構造は更に保護ネットを附加することができる。保護ネットに関連する技術は従来技術であり、本考案の申請内容ではないため、ここで記述しない。
【００２４】
前記をまとめると、本考案は下記の効果の増加を具有する。
【００２５】
１、各上下接続座１、２の副座１２、２２は主座１１、２１に相対して角度を調整することができ、それにより図２３に示すような正方形、図２４に示すような五辺形、図２５に示すような三辺形、図２６に示すような長方形、図２７に示すような別の一つの形態の正方形など、多種の多角形の角度変化できるベビーサークルの構造を構成し、ユーザーがニーズに合わせて組縦てて使用するのに便利である。
【００２６】
２、各下接続座２の主座２１と副座２２に、各一体成型に地面を支える底板２１５、２２５を具有し、各底板２１５、２２５の底端の平面は安定して地面に支えることができ、フローリングを傷つけるのを避けることができる。
【００２７】
３、複数の上接続座１、複数の下接続座２、複数の上横パイプ３、複数の下横パイプ４、複数の縦パイプ５など主な部品で構成し、部品はシンプルで組縦便利である。また、各上横パイプ３と下横パイプ４の幅は同じであるため、倉庫などに保管管理するのに便利である。
【符号の説明】
【００２８】
１  上接続座
１０、２０  螺着部品
１００、２００  スペーサー
１０１、２０１  スレッド部
１１、２１  主座
１１１、２１１  ブロック
１１２、２１２  ピボット
１１２１、２１２１  内ネジ穴
１１３、２１３  垂直方向接続孔
１１３１、２１３１  第一定位穴
１１４、１２３、２１４、２２３  水平方向接続孔
１１４１、２１４１  第二定位穴
１２、２２  副座
１２１、２２１  齒溝
１２２、２２２  ピボットスロット
１２３１、２２３１  第三定位穴
２  下接続座
２１５、２２５  底板
３  上横パイプ
３０、４０、５０  弾性ラッチ
３０１、４０１、５０１  ラッチ部
３１、４１  左、右両端
３１１、４１１、５１１  穴
４  下横パイプ
５  縦パイプ
５１  上、下両端
【図１】
0003206264.tif 000003
【図２】
0003206264.tif 000004
【図３】
0003206264.tif 000005
【図４】
0003206264.tif 000006
【図５】
0003206264.tif 000007
【図６】
0003206264.tif 000008
【図７】
0003206264.tif 000009
【図８】
0003206264.tif 000010
【図９】
0003206264.tif 000011
【図１０】
0003206264.tif 000012
【図１１】
0003206264.tif 000013
【図１２】
0003206264.tif 000014
【図１３】
0003206264.tif 000015
【図１４】
0003206264.tif 000016
【図１５】
0003206264.tif 000017
【図１６】
0003206264.tif 000018
【図１７】
0003206264.tif 000019
【図１８】
0003206264.tif 000020
【図１９】
0003206264.tif 000021
【図２０】
0003206264.tif 000022
【図２１】
0003206264.tif 000023
【図２２】
0003206264.tif 000024
【図２３】
0003206264.tif 000025
【図２４】
0003206264.tif 000026
【図２５】
0003206264.tif 000027
【図２６】
0003206264.tif 000028
【図２７】
0003206264.tif 000029